(57)【要約】【課題】室内を仕切る間仕切りパネルにおいて、上下方向の長さの異なる支柱を用いる場合に、材料の無駄をなくすとともに、支柱の下端部が外嵌するベース金具の共通化や、支柱の外観形状の同一化を図る。【解決手段】ベース金具１０の外周部に、第一、第二支柱３、４の内周面に当接して支柱３，４を起立支持する当接部１０ｄを間隔を存して複数形成する一方、上下方向の長さが第二支柱４よりも短い第一支柱３は、ベース金具１０の当接部１０ｄが当接する被当接部３ｋ以外の部位の内周面が、第二支柱４よりも削がれた内側肉薄部３ｌに形成される。【選択図】図４
2018071184.tif 000002
【特許請求の範囲】
【請求項１】
間隔を存して立設される複数の中空状の支柱と、隣接する支柱間に組込まれるパネル板とを備えるとともに、前記支柱の下端部を、床に固定されるベース金具に外嵌せしめることで支柱を床から立設せしめるように構成してなる間仕切りパネルにおいて、前記支柱として上下方向の長さの異なる第一支柱と第二支柱とを用いるとともに第一支柱と第二支柱とで共通のベース金具を用いるにあたり、ベース金具の外周部に、第一、第二支柱の内周面に当接して支柱を起立支持する当接部を形成する一方、上下方向の長さが第二支柱よりも短い第一支柱は、前記ベース金具の当接部が当接する被当接部以外の内周面の少なくとも一部が第二支柱よりも削がれた肉薄状に形成されていることを特徴とする間仕切りパネル。
【請求項２】
当接部は、ベース金具の外周部に間隔を存して複数形成されていることを特徴とする請求項１に記載の間仕切りパネル。
【請求項３】
第一、第二支柱は、パネル板が組込まれることで外観視されない内側面部を備え、該内側面部の内周面に前記ベース金具の当接部が当接する被当接部が設けられる一方、第一支柱の内側面部は、被当接部の表側面が第二支柱よりも削がれた肉薄状に形成されていることを特徴とする請求項１または２に記載の間仕切りパネル。
【発明の詳細な説明】
【技術分野】
【０００１】
本発明は、建造物の室内空間を仕切る間仕切りパネルの技術分野に関するものである。
【背景技術】
【０００２】
今日、室内空間を仕切るにあたり間仕切りパネルを用いることがあるが、該間仕切りパネルとして、床から間隔を存して複数の支柱を立設し、隣接する支柱間にパネル板を組込むようにしたものが広く知られている。さらにこのような間仕切りパネルにおいて、前記支柱を床から立設するにあたり、床にベース金具（受け具）を固定し、該ベース金具に、中空状の型材で形成された支柱の下端部を外嵌することで、支柱の下端部を床に起立状に固定するように構成したものが知られている（例えば、特許文献１参照。）。
ところで、前記支柱は、その上下方向の長さ（高さ）に応じて必要な強度が異なる。例えば、天井の高さが異なる高天井部と低天井部とを有した室内空間に間仕切りパネルを設置する場合、床から高天井部に至る支柱と、床から低天井部に至る支柱とでは上下方向の長さが異なり、このような場合には、長い支柱の方が短い支柱よりも高い強度が必要であって、該強度を確保するため、長い支柱は短い支柱よりも肉厚に形成される。
しかしながら、同一の室内空間に設けられる支柱の外観形状（左右前後の幅寸法）が異なると外観上好ましくなく、このため、長い支柱の強度に合う肉厚のものを短い支柱にも用いていたが、この場合には短い支柱は必要以上の強度を有することになって、材料が無駄でありコストダウンの妨げになる。一方、左右前後の幅寸法を同一にして、長い支柱を短い支柱よりも肉厚にすると、中空状の支柱の内径寸法が長い支柱と短い支柱とで異なってしまい、このため長い支柱と短い支柱とで同じベース金具を用いることができず、ベース金具の製造コストが高くなるうえ、納入時や施工時にミスを招来する惧れがある。
これに対し、前記特許文献１のものでは、パネル板を平面視で一直線上に接続する場合に用いる支柱と、パネル板を平面視で交差した姿勢に接続する場合に用いる支柱とで、一種類のベース金具に横ずれ不能に嵌合する係合部を形成し、これにより前記両方の支柱に同一のベース金具を用いることができる技術を提唱している。
【先行技術文献】
【特許文献】
【０００３】
【特許文献１】特開２００１−１５２５７９号公報
【発明の概要】
【発明が解決しようとする課題】
【０００４】
ところが、前述した上下方向の長さが長い支柱と短い支柱とを設ける場合に、材料の無駄をなくすために短い支柱を長い支柱よりも肉薄とし、且つ、特許文献１のように同一のベース金具を用いるべく長短両方の支柱の内径寸法を同一にすると、肉厚の長い支柱の外径寸法（左右前後の幅寸法）が肉薄の短い支柱よりも大きくなってしまい、外観が損なわれるうえ、支柱間に組み込まれるパネル板の左右幅も、短い支柱間と長い支柱間とで異なってしまうという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、間隔を存して立設される複数の中空状の支柱と、隣接する支柱間に組込まれるパネル板とを備えるとともに、前記支柱の下端部を、床に固定されるベース金具に外嵌せしめることで支柱を床から立設せしめるように構成してなる間仕切りパネルにおいて、前記支柱として上下方向の長さの異なる第一支柱と第二支柱とを用いるとともに第一支柱と第二支柱とで共通のベース金具を用いるにあたり、ベース金具の外周部に、第一、第二支柱の内周面に当接して支柱を起立支持する当接部を形成する一方、上下方向の長さが第二支柱よりも短い第一支柱は、前記ベース金具の当接部が当接する被当接部以外の内周面の少なくとも一部が第二支柱よりも削がれた肉薄状に形成されていることを特徴とする間仕切りパネルである。
請求項２の発明は、当接部は、ベース金具の外周部に間隔を存して複数形成されていることを特徴とする請求項１に記載の間仕切りパネルである。
請求項３の発明は、第一、第二支柱は、パネル板が組込まれることで外観視されない内側面部を備え、該内側面部の内周面に前記ベース金具の当接部が当接する被当接部が設けられる一方、第一支柱の内側面部は、被当接部の表側面が第二支柱よりも削がれた肉薄状に形成されていることを特徴とする請求項１または２に記載の間仕切りパネルである。
【発明の効果】
【０００６】
請求項１の発明とすることにより、上下方向の長さの異なる第一支柱と第二支柱とを同じ肉厚にした場合の材料の無駄をなくすことができるものでありながら、第一支柱と第二支柱とでベース金具を共通化でき、製造コストの削減や部品管理の簡素化が図れるとともに、両方の支柱の外観形状を同一とすることができて意匠性にも優れる。
請求項２の発明とすることにより、第一支柱に肉薄状の部分を複数設けることができる。
請求項３の発明とすることにより、パネル組込み後の第一支柱の外観形状に影響することなく、第一支柱の材料の無駄をより一層なくすことができる。
【図面の簡単な説明】
【０００７】
【図１】間仕切りパネルの正面図である。
【図２】（Ａ）（Ｂ）は図１のＡ−Ａ、Ｂ−Ｂ断面図である。
【図３】（Ａ）（Ｂ）（Ｃ）は床レール部位の一部断面正面図、一部断面平面図、縦断面側面図である。
【図４】（Ａ）（Ｂ）は第一支柱部位の水平断面平面図、第二支柱部位の水平断面平面図である。
【図５】（Ａ）（Ｂ）（Ｃ）は第一支柱の平面図、第二支柱の平面図、第二支柱に対して肉薄にした部位を太線で示した第一支柱の平面図である。
【図６】（Ａ）（Ｂ）（Ｃ）はベース金具の平面図、正面図、側面図である。
【図７】（Ａ）（Ｂ）（Ｃ）（Ｄ）は天井レールの遊端部位の断面正面図、側面図、断面底面図、天井レールの側面図である。
【図８】（Ａ）（Ｂ）（Ｃ）（Ｄ）（Ｅ）は塞ぎ具の正面図、左側面図、右側面図、平面図、斜視図である。
【図９】（Ａ）（Ｂ）は塞ぎ具を第一支柱の上端に載置した状態を示す正面断面図、右側面図である。
【図１０】（Ａ）（Ｂ）（Ｃ）は塞ぎ具が載置された第一支柱を天井レール遊端部に組込んだ状態を示す正面断面図、左側面図、右側断面図である。
【図１１】（Ａ）（Ｂ）（Ｃ）は第一固定片を天井側に固定した状態を示す正面断面図、左側面図、右側断面図である。
【図１２】（Ａ）（Ｂ）は第二固定片を第一支柱に固定した状態を示す正面断面図、右側断面図である。
【図１３】第二の実施の形態を示す図であって、（Ａ）（Ｂ）（Ｃ）（Ｄ）（Ｅ）（Ｆ）は第一支柱の主支柱構成部材の平面図、第一支柱の副支柱構成部材の平面図、ベース金具に外嵌した状態の第一支柱の平面図、第二支柱の主支柱構成部材の平面図、第二支柱の副支柱構成部材の平面図、ベース金具に外嵌した状態の第二支柱の平面図である。
【図１４】第三の実施の形態を示す図であって、（Ａ）（Ｂ）（Ｃ）（Ｄ）は第一支柱の平面図、ベース金具に外嵌した状態の第一支柱の平面図、第二支柱の平面図、ベース金具に外嵌した状態の第二支柱の平面図である。
【発明を実施するための形態】
【０００８】
以下、本発明の実施の形態について、図面に基づいて説明する。図面において、Ｐは間仕切りパネルであって、該間仕切りパネルＰは高さが低い第一間仕切りパネル１と高い第二間仕切りパネル２との二種類が隣接するようにして設けられている。そしてこれら第一、第二間仕切りパネル１、２は、左右に間隔を存して立設される第一、第二支柱（ポスト）３、４と、これら左右に隣接する第一、第二支柱３、４間に組込まれる（介装される）パネル板５とによりそれぞれ構成されるが、パネル板５は、本実施の形態では表裏面板５ａと該表裏面板５ａ間に内装される内装材（例えばペーパーコア）５ｂとにより構成されているが、単純な板材や複層板状のガラス板等の板材の一種類あるいは複数種類を組み合わせたものとして構成できること等は何れも従来通りである。
因みに、本実施の形態では、第一、第二間仕切りパネル１、２の厚み方向（見込方向）を前後方向、左右方向（見付け方向）を左右方向、間仕切りパネル１、２の左右方向中央側を左右方向内側、左右方向中央から外れる（遠くなる）側を左右方向外側、図面において間仕切りパネル１、２の厚み方向を前後方向と便宜上定義するが、これに拘泥されるものではないことは勿論である。
【０００９】
本実施の形態の第一、第二支柱３、４は、前後左右方向の長さ（幅）が等しく設定された中空状のものであって、左右の両前側コーナー部３ａ、３ａ同士と４ａ、４ａ同士、左右の両後側コーナー部３ｂ、３ｂ同士と４ｂ、４ｂ同士をそれぞれ連結する前後側面部３ｃ、３ｄと４ｃ、４ｄと、前後側コーナー部３ａ、３ｂ同士と４ａ、４ｂ同士の対向側に向けて前後方向に延設され、中央部に前記パネル板５が嵌入するよう切欠き部３ｅ、４ｅが形成された左右外側面部３ｆ、４ｆと、各前後側コーナー部３ａ、３ｂおよび４ａ、４ｂから筒中心方向（対角方向）に向けて延設された前後両側の脚片部３ｇ、３ｈ及び４ｇ、４ｈと、該前後側脚片部３ｇ、３ｈ及び４ｇ、４ｈの先端（内端）同士を連結する左右内側面部（本発明の「側板」に相当する。）３ｉ、４ｉとを備えて構成されている。さらに左右外側面部３ｆ、４ｆの先端（切欠き端）は、筒中心側に向けて段差状になった段差部３ｊ、４ｊが形成されている。
そして第一、第二支柱３、４は、後述するように、前後側脚片部３ｇ、３ｈ及び４ｇ、４ｈと、左右内側面部３ｉ、４ｉを除いた他の表側面（外面）形状は同じになるように設定される一方で、長さの長い第二支柱４は、短い第一支柱３の肉厚よりも厚い設定になっていて、強度アップが図れるようになっている。
【００１０】
６は前記パネル板５の下端部を支持するべく床面Ｆに固定される床レールであって、該床レール６は、外幅がパネル板５の厚さと略同じ寸法になっていて第一、第二支柱３、４の切欠き部３ｅ、４ｅに嵌入するようになった断面凵字形をし、底面部６ａが緊締具（例えばタッピンネジやアンカーボルト）６ｂを介して床面Ｆに固定されるようになっている。
７は巾木であって、該巾木７は、内幅がパネル板５の厚さに設定され、外幅が段差部３ｊ、４ｊに突き当てられる寸法設定になった一対の脚片７ａと、該脚片７ａ同士を連結する連結片７ｂとにより略Ｈ字形をしており、連結片７ｂよりも下側の脚片７ａ間には床レール６の脚片６ｃが内嵌し、連結片７ｂの上面には脚片７ａの上端側から嵌入したパネル板５の下端縁が当接するようになっている。
また床レール６の底面部６ａには冂字形をしたアジャスタ金具８がセットされ、該アジャスタ金具８の上片８ａにアジャスタボルト９の螺子部９ａが螺入している。アジャスタボルト９の頭部９ｂは前記巾木７の連結片７ｂに下側から当接している。そしてアジャスタボルト９をアジャスタ金具８に対して上下動することで巾木７の上下調節ができ、これによってパネル板５の上下位置調節ができるようになっている。
【００１１】
１０は前記支柱３、４の下端部を外嵌支持して立設するためのベース金具であって、該ベース金具１０は、緊締具１０ａによって床面Ｆに固定される四角形状をした底面部１０ｂと、該底面部１０ｂの外周部から適間隔を存して起立する起立片１０ｃとを備えて構成されるが、起立片１０ｃには外側に向けて突出していて支柱３、４の前後側面部３ｃ、３ｄ、４ｃ、４ｄ、左右内側面部３ｉ、４ｉの内周面（内側面）に当接することで支柱３、４を立設（起立）支持するための当接部１０ｄが形成されている。
【００１２】
前述したように第二支柱４は、第一支柱３よりも上下方向に長い仕様の間仕切りパネルに用いられるため、肉厚に設定されていて強度アップを図っているのに対し、短い仕様の間仕切りパネルに用いられる第一支柱３は、第二支柱４ほどの強度が必要なく、そのため肉薄になっているが、ベース金具１０は共通のもの（同じもの）を用いている。そのため第一支柱３は、前記当接部１０ｄが当接する被当接部３ｋについては、第二支柱４の被当接部４ｋと同じ位置に位置するように設定されているが、それ以外の内周面側部位については肉を削いだ内側肉薄部３ｌとなっている（図５（Ｃ）の太線部分）。さらに本実施の形態では、前記被当接部３ｋのうち、パネル板５の端縁部が切欠き部３ｅに内嵌する等して組み立て後の間仕切りパネルとしては外観されることがない部位である左右内側面部３ｉの被当接部３ｋの表側面も肉を削いだ表側肉薄部３ｍになっており、これによって第一支柱３は長い第二支柱４ほどの強度は必要なく、短い第一支柱３として必要な強度は十分に確保できることになる。
尚、本実施の形態では第一支柱３の前後側脚片部３ｇ、３ｈ、左右外側面部３ｆの内周側面部についても肉薄になっている。
しかも第一支柱３は、間仕切りパネルＰとして組み立てられた後は、第二支柱４と同じ外観形状となるように設定されているが、間仕切りパネルＰとして組み立てたときにはパネル板５が切欠き部３ｅに内嵌することで外観視することができない表側肉薄部３ｍの有無を確認することによって、第一支柱３であるか第二支柱４であるかの区別ができるようになっていて、端部まで行って内側肉薄部３ｌの存否により何れの支柱３または４であるかの確認をする必要がないように設定されている。
【００１３】
一方、１１は冂字形をした天井レールであって、該天井レール１１は間仕切りパネル全長に亘って設けられるものであるが、跨部１１ａが緊締具１１ｂによって天井Ｃに固定される。そして天井レール１１の脚片１１ｃの内幅は、前記第一、第二支柱３、４が内嵌する寸法設定になっている。
【００１４】
１２は天井レール１１の遊端（壁Ｗや柱等の躯体側部材に突き当たらない端縁であって、例えば通路として使用されるため間仕切りパネル１が設けられない部位における天井レール１１の端縁）１１ｄを塞ぐための塞ぎ具であって、該塞ぎ具１２は、前記遊端１１ｄに突き当てられて該遊端１１ｄを塞ぐための塞ぎ板１２ａと、逆Ｌ字形をし、縦片１２ｃが塞ぎ板１２ａの左右方向内面に固定され、上片１２ｄが第一支柱３（塞ぎ具１２は、第二支柱４側の天井レール１１側に遊端があった場合、該遊端についても第一支柱３と同じ取付け構造となって設けられることは言うまでもない。）の左右内側面部３ｉの上端に載置される本体１２ｂと、上片１２ｄの左右方向内端（塞ぎ板が設けられる側とは逆側の左右内側面部３ｉの表側面に当接する位置）から上方に向けて起立する起立片１２ｅと、該起立片１２ｅの上端から塞ぎ板１２ａに対して遠ざかる方向に向けて水平状に延出する第一固定片１２ｆと、起立片１２ｅの下端縁から前記逆側の左右内側面部３ｉの表側面に当接する状態で下方に向けて延出するが、その延出長さは塞ぎ具１２を持ち上げて前記第一固定片１２ｆを天井レール１１の跨部（溝底部）１１ａに当接させてもまだ前記逆側の左右内側面部３ｉの表側面に当接しているように長さ設定された第二固定片１２ｇとを備えて構成され、第一、第二固定片１２ｆ、１２ｇにはそれぞれビス孔１２ｈ、１２ｉが形成されている。
【００１５】
そして塞ぎ具１２は、図９（Ａ）（Ｂ）に示すように、塞ぎ板１２ａが天井レール遊端１１ｄに当接し、本体上片１２ｄが第一支柱３の左右内側面部３ｉの上端に載置され、かつ第二固定片１２ｇが前記逆側の左右内側面部３ｉの表側面に当接する状態で第一支柱３の上端にセットし、この状態で図１０（Ａ）（Ｂ）（Ｃ）に示すように第一支柱３の上端部を天井レール１１の遊端１１ｄ側から持ち上げ状に嵌入した後、第一支柱３の下端をベース金具１０に外嵌セットして第一支柱を起立させる。次に図１１（Ａ）（Ｂ）（Ｃ）に示すように、塞ぎ具１２を持ち上げて第一固定片１２ｆを天井レール１１の跨部１１ａに当接させた状態で、該第一固定片１２ｆをビス（緊締具）１２ｊを介し該跨部１１ａおよび天井Ｃに固定する。しかる後、図１２（Ａ）（Ｂ）に示すように、第二固定片１２ｇを前記逆側の左右内側面部３ｉにビス（緊締具）１２ｊを介して固定することで、天井レール遊端１１ｄを塞ぎ板１２ａで塞いだ状態で第一支柱３の上端部を天井Ｃ側に固定できるようになっている。
尚、第一間仕切りパネル１の遊端となる第一支柱３は、このままでは左右内側面部３ｉの遊端１１ｄ側の面が凹溝状に外観されるため、塞ぎ材１３を用いで塞ぐようにしている。
また本実施の形態において、壁や柱等の躯体側部材で塞がれる遊端を有した天井レールについては、図２に示すように、逆Ｌ字形をした支持金具１４を用いて天井Ｃ側に固定するようにしているが、中間の第一、第二支柱３、４についても同様に支持金具１４を介して天井Ｃ側に固定しても勿論よい。
【００１６】
叙述の如く構成された本実施の形態において、間仕切りパネルＰは、高さの低い第一間仕切りパネル１と高い第二間仕切りパネル２とが隣接して設けられているが、これら第一、第二間仕切りパネル１，２は、間隔を存して立設される複数の中空状の第一、第二支柱３、４と、隣接する第一、第二支柱３、４間に組込まれるパネル板５とを備えるとともに、前記第一、第二支柱３、４の下端部を、床面Ｆに固定されるベース金具１０に外嵌せしめることで第一、第二支柱３、４を床面Ｆから立設せしめるように構成されている。このものにおいて、高さの低い第一間仕切りパネル１に用いられる第一支柱３は、高さの高い第二間仕切りパネル２に用いられる第二支柱４よりも上下長さが短く、第二支柱４ほどの強度を必要としないが、これら上下方向の長さの異なる第一、第二支柱３、４は、共通のベース金具１０を用いて立設されることになる。この場合に、ベース金具１０の外周部には、第一、第二支柱３、４の内周面に当接して第一、第二支柱３、４を起立支持する当接部１０ｄが間隔を存して複数形成される一方、上下方向の長さが第二支柱４よりも短くて第二支柱４ほどの強度を必要としない第一支柱３は、ベース金具１０の当接部１０ｄが当接する被当接部３ｋ以外の部位の内周面が、第二支柱４の内周面よりも削がれた内側肉薄部３ｌに形成されることになる。
【００１７】
この様に本発明が実施されたものにおいては、第一支柱３に内側肉薄部３ｌを形成し、これにより第一支柱３を第二支柱４と同じ肉厚にした場合の材料の無駄をなくすことができるものでありながら、内側肉薄部３ｌは、ベース金具１０の当接部１０ｄが当接する被当接部３ｋ以外の部位の内周面に形成されているから、第一支柱３と第二支柱４とで共通のベース金具１０を用いることができるとともに、第一支柱３と第二支柱４とで同一の外観形状とすることができる。この結果、ベース金具１０の製造コストの削減、納入管理や在庫管理の簡素化、施工現場での取り違えミスの防止等が図れるとともに、第一支柱３と第二支柱４とを同一の外観形状で統一することができ、意匠性の向上も図れることになる。
【００１８】
さらにこのものにおいて、第一、第二支柱３、４は、パネル板５が組込まれることで外観視されない左右内側面部３ｉ、４ｉを備えており、該左右内側面部３ｉ、４ｉの内周面に前記ベース金具１０の当接部１０ｄが当接する被当接部３ｋ、４ｋが設けられているが、第一支柱３の左右内側面部３ｉは、被当接部３ｋ以外の部位の内周面が内側肉薄部３ｌになっているだけでなく、被当接部３ｋの表側面（外周側面）も第二支柱４よりも削がれた表側肉薄部３ｍになっている。これにより、第一支柱３の材料の無駄をより一層なくすことができるが、表側肉薄部３ｍが形成される左右内側面部３ｉ、４ｉはパネル板５が組込まれることで外観視されなくなるため、表側肉薄部３ｍが形成されていてもパネル板５組込み後の第一支柱３の外観形状には影響しないことになる。一方、パネル板５組込み前においては、表側肉薄部３ｍの有無によって第一支柱３と第二支柱４とを容易に判別できて、施工現場等における作業効率の向上に貢献できる。
【００１９】
尚、本発明は上記実施の形態（第一の実施の形態）に限定されないことは勿論であって、本発明を実施するにあたり、支柱やベース金具の形状は種々の形状のものを採用できる。例えば、図１３に示す第二の実施の形態では、支柱の構成部材が二つに分割された第一、第二支柱１５、１６に本発明が実施されている。つまり、第二の実施の形態の第一、第二支柱１５、１６は、ベース金具１７に外嵌する主支柱構成部材１５Ａ、１６Ａと、該主支柱構成部材１５Ａ、１６Ａの後側（或いは前側）に図示しないネジを介して一体的に組付けられる副支柱構成部材１５Ｂ、１６Ｂとによって形成されるとともに、これら主支柱構成部材１５Ａ、１６Ａと副支柱構成部材１５Ｂ、１６Ｂとにより形成された第一、第二支柱１５、１６には、左右両側および後側（或いは前側）にパネル板が嵌入する切欠き部１５ａ、１６ａが形成されていて、パネル板をＴ字状に接続できるようになっている。そしてこの第二の実施の形態のものにおいても、第一支柱１５は上下方向の長さが第二支柱１６よりも短くて第二支柱１６ほどの強度を必要としないが、該第一支柱１５は、ベース金具１７の当接部１７ａが当接する被当接部１５ｂ以外の部位の内周面が、第二支柱１６の内周面よりも削がれた内側肉薄部１５ｃに形成されているとともに、左右内側面部１５ｄにおける被当接部１５ｂの表側面も第二支柱１６の表側面よりも削がれた表側肉薄部１５ｅに形成されており、而して、前述した第一の実施の形態と同様の作用効果を奏することになる。さらに、第二実施の形態の第一支柱１５は、主支柱構成部材１５Ａに副支柱構成部材１５Ｂを組付けた状態で互いに対向して外観視されない組付け面１５ｆ、１５ｇについても肉薄部が形成されており、これにより第一支柱３の材料の無駄をより一層なくすことができる構成になっている。
【００２０】
また、図１４に示す第三の実施の形態においては、パネル板をＬ字状、Ｔ字状、或いは十字状に接続する場合に用いられるコーナー用第一、第二支柱１８、１９に本発明が実施されている。該コーナー用第一、第二支柱１８、１９は、前後両側および左右両側にパネル板が嵌入する切欠き部１８ａ、１９ａが形成されていて、前後左右にパネル板を接続できるとともに、パネル板を接続しない切欠き部１８ａ、１９ａについては図示しない塞ぎ材（第一の実施の形態の塞ぎ材と同様の塞ぎ板）で塞ぐことによって、パネル板をＬ字状、Ｔ字状、或いは十字状に接続することができる。そしてこの第三の実施の形態のものにおいても、第一支柱１８は上下方向の長さが第二支柱１９よりも短くて第二支柱１９ほどの強度を必要としないが、該第一支柱１８は、ベース金具２０の当接部２０ａが当接する被当接部１８ｂ以外の部位の内周面が、第二支柱１９の内周面よりも削がれた内側肉薄部１８ｃに形成されているとともに、前後左右の内側面部１８ｄにおける被当接部１８ｂの表側面も第二支柱１９の表側面よりも削がれた表側肉薄部１８ｅに形成されており、而して、前述した第一の実施の形態と同様の作用効果を奏することになる。
尚、前述した第二、第三の実施の形態のベース金具１７、２０は、第一の実施の形態のベース金具１０と若干形状は異なるが、第一の実施の形態のベース金具１０と同様の底面部１７ｂ、２０ｂ、起立片１７ｃ、２０ｃ、当接部１７ａ、２０ａをそれぞれ備えて構成されている。
さらに、前記第一〜第三の実施の形態において、第一支柱は、ベース金具の当接部が当接する被当接部以外の内周面の全ての部位が肉薄状に形成されており、これにより第一支柱の材料の無駄を確実になくすことができるようになっているが、本発明はこれに限定されることなく、被当接部以外の内周面の少なくとも一部が肉薄状に形成されていれば良く、肉薄状に形成される部位は第一支柱の必要強度等に応じて適宜設定できる。
【産業上の利用可能性】
【００２１】
本発明は、建造物の室内空間を仕切る間仕切りパネルに利用することができる。
【符号の説明】
【００２２】
１  第一間仕切りパネル
２  第二間仕切りパネル
３  第一支柱
３ｉ  左右内側面部
３ｋ  被当接部
３ｌ  内側肉薄部
３ｍ  表側肉薄部
４  第二支柱
５  パネル板
１０  ベース金具
１０ｄ  当接部
Ｆ  床面
Ｐ  間仕切りパネル
【図１】
2018071184.tif 000003
【図２】
2018071184.tif 000004
【図３】
2018071184.tif 000005
【図４】
2018071184.tif 000006
【図５】
2018071184.tif 000007
【図６】
2018071184.tif 000008
【図７】
2018071184.tif 000009
【図８】
2018071184.tif 000010
【図９】
2018071184.tif 000011
【図１０】
2018071184.tif 000012
【図１１】
2018071184.tif 000013
【図１２】
2018071184.tif 000014
【図１３】
2018071184.tif 000015
【図１４】
2018071184.tif 000016